【事件の表示】
　特許第２８００４８９号「電気掃除機」の請求項１ないし２に係る特許に対する特許異議の申立てについて、次のとおり決定する。
【結論】
　訂正を認める。
　特許第２８００４８９号の請求項１ないし２に係る特許を維持する。
【理由】
〔１〕手続の経緯
　本件特許２８００４８９号は、平成３年８月２０日に特許出願されたものであって、平成１０年７月１０日に設定登録がされ、同年９月２１日に特許公報に掲載されたものであり、これに対して、特許異議申立人三洋電機株式会社より、本件の請求項１及び請求項２（全請求項）に係る発明の特許に対して、平成１１年３月１８日付けで特許異議の申立てがされ、その後、当審の取消理由通知に対して、平成１１年１０月１４日付け訂正請求書により訂正請求がされたものである。
〔２〕訂正事項と訂正の適否についての判断
　本件訂正請求は、明細書の「特許請求の範囲」及び「発明の詳細な説明」の項中の、「外郭後方」を、「外郭後端部」と訂正するものである。
　そして訂正事項は、発明の詳細な説明及び図面全体の記載からみて、特許法第１２０条の４第２項第３号に規定された「明りょうでない記載の釈明」に当たるものと認められ、さらに、本件訂正事項は、全体として願書に最初に添付した明細書及び図面の範囲においてされたものであると認められるので、同条第３項で準用する第１２６条第２項及び第３項の規定にも適合するものである。
　したがって、本件訂正はこれを認めることとする。
〔３〕特許異議申立てについての判断
　本件請求項１及び請求項２に係る発明は、訂正された明細書及び図面の記載からみて、その特許請求の範囲の請求項１及び請求項２に記載された以下のものにある。
「請求項１
　電気掃除機本体のモーター室上方に回動自在に設けた、略コの字状の把手を有し、電気掃除機本体のモーター室上方の外郭後端部には隙間ノズル等の付属品を横方向に取着自在に収納する上方を開口した凹部を設け、前記把手で前記凹部の上方開口部を覆ってなる電気掃除機。
　請求項２
　電気掃除機本体のモーター室上方に回動自在に設けた、略コの字状の把手を有し、電気掃除機本体のモーター室上方の外郭後端部には隙間ノズル等の付属品を縦方向に取着自在に収納する上方を開口した凹部を設け、前記把手で前記凹部の上方開口部を覆ってなる電気掃除機。」
　これに対して、特許異議申立人の申立ての理由は、「本件特許発明の請求項１の発明は、その出願前公知の甲第１号証に基づいて当業者が容易に発明できたものである。また、本件特許発明の請求項２の発明は、甲第１号証に甲第４号証乃至甲第６号証に示される周知の技術を採用するすることにより、当業者が容易に発明できたものである。従って、本件特許発明は、特許法第２９条第２項の規定により特許を受けることができないものである。」というにある。
証拠方法：
甲第１号証：実願昭６１−６４６０７号（実開昭６２−１７７４８１号）のマイクロフィルム
甲第２号証：実願昭６２−１８０３８８号（実開平１−８２８５７号）のマイクロフィルム
甲第３号証：特開昭５６−４３９２４号公報
甲第４号証：実願昭６１−２０７４６号（実開昭６２−１３４５３７号）のマイクロフイルム
甲第５号証：実開昭６３−３６４４８号公報
甲第６号証：実開昭６３−１４７１６３号公報
　そこで、甲号各証について検討すると、甲第１号証には電気掃除機に関して第１〜５図とともに記載されており、隙間ノズルなどの付属品を収納する上部を開口した凹部を電気掃除機本体に形成した電気掃除機であるされた点では、本件発明と共通するものであると認められるが、本件各発明が、電気掃除機本体のモーター室上方の外郭後端部に付属品を収納する凹部を設け略コの字状の把手で凹部の上方開口部を覆ったものであるのに対して、甲第１号証のものは、付属品収納凹部を電気掃除機本体の上方外郭の中心部よりに設けており、また、略コの字状の把手で凹部の上方開口部を覆うものでもない。
　そして、本件各発明は、その構成により、請求項１に係る発明では、付属品を覆う格納蓋と、格納蓋をダスト蓋に開閉自在にできるラッチをなくすことができ、部品点数の削減、軽量化、コストダウンが図れるとともに、把手を回動することにより簡単に付属品の取着が行え、請求項２に係る発明では、これらに加えて、付属品を収納するスペースが小さくでき、電気掃除機本体を大きくする必要がなくなるという、甲第１号証記載の電気掃除機に比して有利な効果を奏するものと認められる。
　また、甲第２号証及び甲第３号証には「電機掃除機」について、甲第４号証には「掃除機における隙間用ノズルの収納構造」について、甲第５号証にも「電機掃除機」について、それぞれ図面とともに記載されているが、本件請求項１及び請求項２に係る発明の上記、▲１▼電気掃除機本体のモーター室上方の外郭後端部に付属品を収納する凹部を設け、▲２▼略コの字状の把手で凹部の上方開口部を覆う構成とする点に関しては何らの記載も示唆もない。
　そうすると、その余について検討するまでもなく、本件請求項１及び請求項２に係る発明が、甲第１号証乃至甲第５号証に記載された発明に基づいて当業者が容易に発明をすることができたものとすることもできない。
〔４〕まとめ
　以上のとおりであるから、本件請求項１及び請求項２に係る発明が特許法第２９条第２項の規定により特許を受けることができないとする特許異議申立人の主張は、これを採用することができない。
　ほかに、本件請求項１及び請求項２に係る発明についての特許を取り消すべき理由を発見しない。
　よって、結論のとおり決定する。
【異議決定日】
平成１１年１１月１１日（１９９９．１１．１１）
【訂正の要旨】
　本件訂正請求は、明細書の「特許請求の範囲」及び「発明の詳細な説明」の項中の、「外郭後方」を、「外郭後端部」と訂正するものである。
（５４）【発明の名称】
電気掃除機
（５７）【特許請求の範囲】
　【請求項１】　電気掃除機本体のモーター室上方に回動自在に設けた、略コの字状の把手を有し、電気掃除機本体のモーター室上方の外郭
後端部に
　【請求項２】　電気掃除機本体のモーター室上方に回動自在に設けた、略コの字状の把手を有し、電気掃除機本体のモーター室上方の外郭
後端部に
【発明の詳細な説明】
　【０００１】
　【産業上の利用分野】
　本発明は、電気掃除機に関するものである。
　【０００２】
　【従来の技術】
　従来、この種の電気掃除機は、実開平１−８２８５３号に示されているように、電気掃除機本体上方後部に隙間ノズルを収納したり、図３に示すように集塵室上方に隙間ノズルを収納したものが一般的であった。
　【０００３】
　以下、図３に従ってその構成について説明する。
　電気掃除機本体１（以下、本体という）に回転自在なローラー２を設け、この本体１の内部は、電動送風機３、コード巻取装置（図示せず）を内蔵するモーター室４と、集塵袋５を内蔵する集塵室６を有している。
　【０００４】
　フロントカバー７は本体１とビス等により固定され、ホース（図示せず）を着脱自在に装着できる接続口８を配設している。
　【０００５】
　ダスト蓋９は、本体１に回動自在に取付けられ、集塵袋５の着脱時に開閉するもので、その上面には、隙間ノズルなどの付属品１０を収納する凹部１１が集塵室６の、上方に形成されている。
　【０００６】
　また、前記凹部１１の上方には、付属品１０を覆う格納蓋１２が、本体１に回動自在に係合されている。
　【０００７】
　前記格納蓋１２の先端部には、格納蓋１２をダスト蓋９に開閉自在にできるラッチ１３が取り付けられている。
　【０００８】
　【発明が解決しようとする課題】
　しかし、このような従来の構成では、付属品１０を上方より覆う格納蓋１２が必要であり、部品点数が多くなり、コストアップになるとともに、軽量化を阻害するものであった。
　【０００９】
　また、付属品１０を収納するための凹部１１が、集塵室６上方のダスト蓋９に形成されているため、集塵室の容量が少なくなるという問題を有していた。
　【００１０】
　本発明は、このような課題を解消し、部品点数を削減しコストダウンとともに軽量化を図ることを目的としたものである。
　【００１１】
　【課題を解決するための手段】
　上記課題を解消するための第１の発明による手段は、電気掃除機本体のモーター室上方に回動自在に設けた、略コの字状の把手を有し、電気掃除機本体のモーター室世Ｌ方の外郭
後端部に
　【００１２】
　第２の発明による手段は、電気掃除機本体のモーター室上方に回動自在に設けた、略コの字状の把手を有し、電気掃除機本体のモーター室上方の外郭
後端部に
　【００１３】
　【作用】
　上記構成における作用は、把手が凹部上方の開口部を覆うことにより、把手自体が格納蓋の役目をし、従来のように、隙間ノズル等の付属品を収納した時、付属品を覆う格納蓋と、ダスト蓋と格納蓋とを開閉自在できるラッチが不必要になり、部品点数の削減、軽量化、コストダウンが図れるものである。
　【００１４】
　また、凹部をモーター室上方に配設するため、ダスト蓋の内面の凸部が削除され、集塵室の容量を多く確保でき、また、把手を回動すれば簡単に付属品の取着が行えるものである。
　【００１５】
　第２の発明による作用は、第１の発明の作用に加え、外郭
後端部に
　【００１６】
　【実施例】
　以下、本発明の一実施例を添付図面にもとづいて説明する。
　【００１７】
　図１において、電気掃除機本体２１（以下、本体という）は、電動送風機２２、コード巻取装置（図示せず）などを内蔵するモーター室２３と、前記電動送風機２２の吸引側に吸い込んだ塵埃を集積する集塵袋２４を取着する集塵室２５を有している。
　【００１８】
　フロントカバー２６は、ビス等により本体２１前方に固定され、ホース（図示せず）を装着する接続口２７を配設している。
　【００１９】
　ダスト蓋２８は、本体２１に回動自在に取り付けられ、集塵袋２４の着脱時に開閉するものである。
　【００２０】
　本体上２９は、前記電動送風機２２、コード巻取装置などを格納する蓋を構成するもので、回動自在なコの字状の把手３０を係合している。
　【００２１】
　上方を開口した凹部３１は、本体２１のモーター室２３上方の外郭
後端部に
　【００２２】
　前記把手３０は、凹部３１上方の開口部を覆うように配設され、本体２１のモーター室２３上方に回動自在に構成されている。
　【００２３】
　第２の発明の一実施例としては、前記把手３０で、その両コーナー部３３を、握り部３４より幅を広く形成し、本体２１のモーター室２３上方の外郭
後端部の
　【００２４】
　　【発明の効果】
　第１の発明では、コの字状の把手で隙間ノズル等の付属品を収納した凹部上方を覆う構成なので、付属品を覆う格納蓋と、前記格納蓋をダスト蓋に開閉自在にできるラッチをなくすことができ、部品点数の削減、軽量化、コストダウンが図れるものであり、また把手を回動ずることにより簡単に付属品の取着が行える。
　【００２５】
　第２の発明では、第１の発明の効果に加え、外郭
後端部に
【図面の簡単な説明】
　【図１】
　本発明の一実施例を示した電気掃除機の一部断面図
　【図２】
　本発明の一実施例を示した電気掃除機の平面図
　【図３】
　従来例を示した電気掃除機の一部断面図
　【符号の説明】
　２８　ダスト蓋
　３０　把手
　３１　凹部
　３２　付属品
　３３　コーナー部
　３４　握り部